(57)【特許請求の範囲】
【請求項１】
キャスティングケースのカップ部内に樹脂を注入する工程と、
前記カップ部は側壁を有し、前記側壁の上面の高さ位置と、前記カップ部内の樹脂の上面の高さ位置と、を測定してその差分を算出する工程と、
を含むことを特徴とする発光装置の製造方法。
【請求項２】
前記側壁の上面の高さ位置は、前記カップ部の中心に対して対称となる２以上の測定点での高さ位置の平均値である請求項１記載の発光装置の製造方法。
【請求項３】
前記側壁の上面の高さ位置は、前記上面において等間隔に位置する複数の測定点における高さ位置の平均値である請求項１記載の発光装置の製造方法。
【請求項４】
前記キャスティングケースは、前記カップ部の中心が１列に配置された複数のカップ部を備え、前記測定点は、隣接する前記カップ部に最も近い側壁の上面である請求項１〜請求項３のいずれか１項に記載の発光装置の製造方法。
【請求項５】
前記算出された差分を、規定された量の許容範囲であるか否かを判断する工程を備える請求項１〜請求項４のいずれか１項に記載の発光装置の製造方法。
【発明の詳細な説明】
【技術分野】
【０００１】
本発明は、発光装置の製造方法に関する。
【背景技術】
【０００２】
レンズを備えたＬＥＤ（Ｌｉｇｈｔ  Ｅｍｉｔｔｉｎｇ  Ｄｉｏｄｅ）の製造方法において、キャスティングケースを用いてレンズを成形する方法が知られている。例えば、キャスティングケースのカップ内に樹脂を注入し、その樹脂中に発光素子が実装されたリードフレームの一部を挿入して硬化し、硬化後にカップから取り外す方法である。
【先行技術文献】
【特許文献】
【０００３】
【特許文献１】特開平６−３１０７６４号公報
【特許文献２】特開平６−１６３９９５号公報
【発明の概要】
【発明が解決しようとする課題】
【０００４】
リードフレームをカップに挿入する前のカップ内の樹脂は、カップ外に漏れているものや、極端に注入量が少ないものがある。これらの樹脂量を確認するときは、目視により直接観察することが考えられるが、樹脂量のバラつきが大きい場合がある。
【課題を解決するための手段】
【０００５】
本発明の実施形態は、以下の構成を含む。
キャスティングケースのカップ部内に樹脂を注入する工程と、カップ部は側壁を有し、側壁の上面の高さ位置と、カップ部内の樹脂の上面の高さ位置と、を測定してその差分を算出する工程を含む。
【発明の効果】
【０００６】
以上に開示の製造方法により、キャスティングケースのカップ内に注入された樹脂量を適切な量に制御することができ、樹脂量のバラつきを低減することができる。
【図面の簡単な説明】
【０００７】
【図１】図１は、実施形態に係るキャスティングケースを示す概略斜視図である。
【図２】図２は、図１のＸ−Ｘ断面における概略断面図であり、樹脂を注入する前の状態を示す概略断面図である。
【図３】図３は、図１に示すキャスティングケースに樹脂を注入した状態でのＸ−Ｘ断面における概略断面図である。
【図４】図４は、実施形態に係るキャスティングケースを示す概略斜視図である。
【図５】図５は、図４に示すキャスティングケースに樹脂を注入した状態でのＹ−Ｙ断面における概略断面図である。
【発明を実施するための形態】
【０００８】
本発明を実施するための形態を、以下に図面を参照しながら説明する。ただし、以下に示す形態は、本発明の技術思想を具体化するための発光装置の製造方法を例示するものであって、本発明は、発光装置の製造方法を以下に限定するものではない。
【０００９】
また、本明細書は、特許請求の範囲に示される部材を、実施の形態の部材に特定するものでは決してない。特に、実施の形態に記載されている構成部品の寸法、材質、形状、その相対的配置等は、特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。
【００１０】
キャスティングケースのカップ部内に樹脂を注入する工程を含む発光装置の製造方法について説明する。
まず、キャスティングケースを準備する。図１及び図２は、砲弾型ＬＥＤの製造に用いられるキャスティングケース１０を例示したものである。キャスティングケース１０は、レンズとなる樹脂が注入されるカップ部１２と、複数のカップ部１２を支持するフレーム１１と、を備える。フレーム１１は長尺状であり、複数のカップ部１２がフレーム１１の長手方向に沿って一列に配置される。尚、カップ部は２列以上に設けられてもよい。
【００１１】
カップ部１２は、図２に示すように、側壁１２ｂと底面とを備えている。側壁１２ｂの上面１２ａは、フレーム１１の上側おいて開口するよう、環状に設けられている。カップ部の開口形状は、レンズの形状に応じて適宜変更することができる。このカップ部の開口形状は、円形、楕円形、四角形などを選択することができる。
【００１２】
このようなキャスティングケース１０は、カップ部の側壁１２ｂの上面１２ａが上側に向くように固定する。次いで、ディスペンスノズル等を用いて、カップ部１２内に樹脂２０を注入する。ディスペンスノズルの押圧時間や圧力等を設定しておくことで、おおよそ規定した量の樹脂がカップ部内に注入される（図３）。
【００１３】
リードフレームを挿入する前（樹脂を硬化させる前）に、まず、カップ部の側壁１２ｂの上面１２ａの高さ位置を測定する。測定点は、１つのカップ部１２に対して、その側壁１２ｂの上面１２ａ上の１点のみであってもよいが、好ましくは２点以上である。測定点が２点以上の場合、その平均値をカップ部１２の側壁１２ｂの上面１２ａの高さとする。
【００１４】
カップ部の側壁の上面の高さ位置の測定点が２点の場合、カップ部１２の中心に対して対称となる２点とすることが好ましい。例えば、図１に示すように、カップ部１２の開口の中心点を通り、かつ、フレーム１１の長手方向に延伸する線上に位置する２点（図１のＡ１及びＡ２）を、測定点とすることができる。この測定点の高さ位置ＨＡ１及びＨＡ２（図３）は、カップ部１２の上方に配置されたセンサーによって測定することができる。このようにして測定された高さ位置の平均値を、カップ部１２の側壁１２ｂの上面１２ａの高さ位置とする。
【００１５】
カップ部１２が一列に配置されている場合、上述のように、フレームの長手方向に隣接するカップ部に最も近い側壁１２ｂの上面１２ａを測定点とすることが好ましい。このような位置とすることで、測定点間の移動距離を短くすることができ、１つのフレーム内におけるセンサーの移動距離を短くすることができる。これにより、リードタイムを短縮することができる。
【００１６】
また、例えば、図４に示すように、測定点を、カップ部１２の開口の中心点を通り、かつ、フレーム１１の短手方向に延伸する線上に位置する２点（図４のＡ３及びＡ４）とすることができる。このような２点を測定点とすることで、カップ間に障害物がある場合でも測定可能となる。
【００１７】
測定点を、３点以上とする場合、カップ部１２の側壁１２ｂの上面１２ａにおいて、等間隔に位置する複数の測定点とすることができる。例えば、カップ部１２の開口形状が円形である場合、その円を１２０°で分割する分割線上に位置する３点を、等間隔とする測定点とすることができる。ただし、各測定点の間隔は、等間隔にしなくてもよい。例えば、カップ部１２の開口の中心点を通り、かつ、フレーム１１の長手方向に延伸する線上に位置する２点（図１のＡ１及びＡ２）に、カップ部の開口の中心点を通し、かつ、短手方向に延伸する線上に位置する１点を加えた３点を測定点とすることができる。つまり、カップ部の上面を、その中心を通る中心線で２分割した際に、測定点の全てがその片方側のみに位置するのは好ましくなく、２分割された両方の上面に測定点を定めることが好ましい。
【００１８】
カップ部の開口形状が楕円形である場合、その楕円を１２０°で分割する分割線上に位置する３点を、測定点とすることができる。あるいは、開口形状が楕円形のカップ部の開口の中心点を通り、かつ、フレームの短手方向に延伸する線上に位置する２点と長手方向に延伸する線上に位置する１点を、測定点とすることができる。
【００１９】
また、カップ部の開口形状が四角形である場合、カップ部の開口の中心点を通り、かつ、フレームの短手方向に延伸する線上に位置する２点と長手方向に延伸する線上に位置する１点を、測定点とすることができる。あるいは、四角の頂点を対角に２点、フレームの長手方向に延伸する線上に位置する１点を、測定点とすることができる。
【００２０】
同様に、カップ内１２内の樹脂２０の上面の高さ位置を測定する。樹脂２０は、カップ部１２の開口内で、図３のように、上面が平らにはならないことが多い。そのため、樹脂２０の上面の測定点は、カップ部１２の中心とすることが好ましい。この樹脂の上面の高さ位置（ＨＢ１）も、カップ部１２の上方に配置したセンサーで測定することができる。
【００２１】
上述のようにして測定した高さ位置の差分を算出し、この算出された値が、規定された許容範囲内であるか否かで、カップ部内に注入された樹脂の量が、規定された量の許容範囲であるか否か、を判断することができる。また、この算出された値を管理することで、何らかの不具合が発生した際に原因を特定し易くすることができる。
【産業上の利用可能性】
【００２２】
実施形態に係る発光装置の製造方法は、光源、各種インジケーター用光源、車載用光源、液晶のバックライト用光源、センサー用光源に用いられる発光装置であって、キャスティングケースを用いて製造される発光装置に使用することができる。
【符号の説明】
【００２３】
１０…キャスティングケース
１１…フレーム
１２…カップ部
１２ａ…上面
１２ｂ…側壁
２０…樹脂（レンズ樹脂）
Ａ１、Ａ２、Ａ３、Ａ４…測定点（カップ部の側壁の上面における測定点）
Ｂ１、Ｂ２…測定点（樹脂の上面における測定点）
ＨＡ１、ＨＡ２、ＨＡ３、ＨＡ４…測定値（カップ部の側壁の上面における測定点）
ＨＢ１、ＨＢ２…測定値（樹脂の上面における測定点）
【図１】
0006458685.tif 000002
【図２】
0006458685.tif 000003
【図３】
0006458685.tif 000004
【図４】
0006458685.tif 000005
【図５】
0006458685.tif 000006